(57)【要約】【課題】            外部電源や大掛かりで高価な動力源を設置することなく、被介護者がベッドや車椅子から安全に立ち上がる動作を支援可能にする。【解決手段】        回動フレーム３を回動させて垂直部３Ａに設けた脇支持部材５、５が座位姿勢の被介護者の脇付近の高さとなるよう傾動させてロックし、脇支持部材５、５を被介護者の両脇下に挿入位置させ、胸当てクッション６に胸付近を当接させて体重を預け、ここでロックを解除することによってコイルばね２２の付勢力で回動フレーム３を復帰方向に回動させ垂直部３Ａを立ち上がらせ、脇支持部材５、５に支えられた被介護者を立位姿勢とする構成である。【選択図】          図１
2011104237.tif 000002
【特許請求の範囲】
【請求項１】
基台上に平行して立設された支柱フレームと、
垂直部と水平部とで略Ｌ字状に形成され、その角部近傍が該支柱フレームに支軸にて回動可能に取り付けられた回動フレームと、
該回動フレームの垂直部上部に、被介護者が入れる間隔で前方に突出された２本の脇支持部材と、
回動フレームの水平部を付勢可能に取付け、回動フレームの一方向の回動で付勢力が増大し、回動フレームを他方向に回動復帰させる付勢力として水平部に付与するコイルばねと、
回動フレームの水平部に連結され、回動フレームの回動をロックするメカニカルロック装置と、を備え、
回動フレームを回動させ、垂直部を傾斜させコイルばねの付勢力を増大させた位置でメカニカルロック装置で回動フレームの回動をロックし、垂直部の脇支持部材を、座位姿勢の被介護者の両脇の下に位置させて、メカニカルロック装置のロックを解除し、コイルばねの付勢力で回動フレームを回動復帰させ、垂直部を立ち上がらせ、脇支持部材で両脇が支えられた被介護者を立位姿勢とすることを特徴とする介護支援装置。
【請求項２】
前記回動フレームの水平部は、基端が垂直部の下端に固着され水平方向に互いに平行して延出する１対のフレームで構成され、この両フレームには長手方向に長孔が対応して設けられ、この両フレーム間には軸部材が長孔に挿通されて長孔に沿って移動自在に架設され、前記フレームには該軸部材との当接面に複数の係止凹部が設けられた係止片が、回動可能に設けられ、該係止片は、ばねに付勢されて前記軸部材に当接され、軸部材は、長孔内において係止片の係止凹部が係合された位置で位置保持され、前記コイルばねは、該軸部材に連結され、その付勢力は軸部材を介し回動フレームに付与されることを特徴とする請求項１記載の介護支援装置。
【請求項３】
前記一方の支柱フレームと前記水平部の一方のフレームとの間および前記他方の支柱フレームと前記水平部の他方のフレームとの間に、両者で対となる支持部材が、下端を支柱フレームまたは基台に回動可能に立設され、該支持部材の上端間にはハンドルが連結され、該ハンドルで支持部材を前後方向に回動操作可能とし、該支持部材の上部には、垂直方向にガイド長孔が対応して設けられ、前記水平部の対のフレームの長孔間に架設された軸部材は、フレームの長孔を貫通し両端が支持部材のガイド長孔に嵌入されており、前記ハンドルで支持部材を前後方向に回動操作することによって、軸部材をフレームの長孔に沿って前後に移動可能としたことを特徴とする請求項２記載の介護支援装置。
【請求項４】
前記軸部材には、ロッドが上端を軸部材に回動自在に取付けて垂下され、回動フレームの一方向の回動で付勢力が増大し、回動フレームを他方向に回動復帰させる付勢力を水平部に付与するコイルばねは、該ロッドに挿入されて下端がロッド下端に設けられたばね受けに支持されて設けられ、該コイルばねの上方には、コイルばねの上方移動を制止する規制部材が設けられていることを特徴とする請求項２または３に記載の介護支援装置。
【請求項５】
前記回動フレームの水平部には、回動フレームの回動動作を制御するダンパ装置が連結されていることを特徴とする請求項１乃至４のいずれかに記載の介護支援装置。
【請求項６】
前記回動フレームの垂直部には、両脇支持部材間の上側に隣接して胸当てクッションが設けられていることを特徴とする請求項１乃至５のいずれかに記載の介護支援装置。
【請求項７】
前記回動フレームの垂直部には、脇支持部材の後方近傍に、握持部が設けられていることを特徴とする請求項１乃至６のいずれかに記載の介護支援装置。
【請求項８】
前記回動フレームの垂直部は、平行リンク機構で構成され、垂直部に設けられた脇支持部材は、垂直部が、傾斜状態から直立方向に、又は直立状態から傾斜方向に移動しても、垂直部に設置した初期設定角度を保持することを特徴とする請求項１記載の介護支援装置。
【請求項９】
前記回動フレームの垂直部は、平行リンク機構で構成され、垂直部に設けられた胸当てクッションおよび／又は握持部は、垂直部が、傾斜状態から直立方向に、又は直立状態から傾斜方向に移動しても、垂直部に設置した初期設定角度を保持することを特徴とする請求項６または７に記載の介護支援装置。
【発明の詳細な説明】
【技術分野】
【０００１】
本発明は、介護ベッドや車椅子からの立ち上がり動作やベッドや車椅子に着座させる動作、および介護ベッド、車椅子とトイレ等の必要とする場所の相互間での移動を支援する介護支援装置に関する。
【背景技術】
【０００２】
従来、被介護者を移送する器具として、基台に一端が取り付けられ、この一端が基台に対して回動できるようになっている可動軸を有し、その可動軸の他端に人体の胸部を保持する保持機構が設けられた移乗補助機器が提案されている（例えば、特許文献１参照）。これによれば、被介護者の胸部に保持機構をあて、可動軸を基台に対して回動させることにより、被介護者を基台上に立たせた状態で移送することが可能となる。
【０００３】
また、台車部に立設する支柱部の上端側にアーム部が起伏可能に設けられており、このアーム部を上方に起伏させることにより、アームに掴まった被介護者を台車部上で立位状態にし、この立位状態で被介護者を移送するようにしたものが開示されている（例えば、特許文献２参照）。
【先行技術文献】
【特許文献】
【０００４】
【特許文献１】特開２０００−０７０３１４号公報
【特許文献２】特開２００２−２２４１７４号公報
【発明の概要】
【発明が解決しようとする課題】
【０００５】
上述した従来の介護補助装置は、被介護者の介護補助に好ましいものである。しかしながら、次のような解決すべき課題もある。
前記いずれの介護補助装置にあっても、基台（台車）上に被介護者を乗せて移動させるために基台（台車）が広くなっており、例えば、ベッド上の座位姿勢の被介護者を立ち上げ、車椅子に移動させるような操作には、ベッド上の被介護者と介護補助装置との間に距離が生じ、スムーズな立ち上げ、移動ができない課題がある。
また、基台（台車）上に被介護者を乗せて移動させるため基台（台車）が広く（大きく）なっていること、および被介護者を座らせたり立たせたりするときの車台の安定性を十分に得るために、車台に取り付けられる前方側の車輪と後方側の車輪との間隔をある程度広くしている。このため、車台の小回り性が悪くなり、介助補助装置移動の弊害となる場合がある。また、介護者や被介護者に身体的な負担を強いる場合もある。
【０００６】
また、引用文献１に記載の介護補助装置にあっては、可動軸の基台に対する回動動力源として油圧ポンプを用いており、また引用文献２に記載の介護補助装置にあっては、ガススプリングを用いている。また、被介護者を支えるアームや後端部材（基台）の移動にモータを用いているため、外部電源が必要になるほか、安全、保安機能の付加と合わせてシステム全体のコストが高くなってしまうという課題があった。
【０００７】
本発明はかかる従来の課題に着目してなされたものであり、その目的とするところは、外部電源や大掛かりで高価な動力源を設置することなく、被介護者がベッドや車椅子から安全に立ち上がったり、ベッドや車椅子に着座させる動作およびベッドや車椅子と必要とする場所との相互間での移動を支援することができる介護支援装置を提供することにある。
【課題を解決するための手段】
【０００８】
前述した目的を達成するために、本発明に係る介護支援装置は、基台上に平行して立設された支柱フレームと、
垂直部と水平部とで略Ｌ字状に形成され、その角部近傍が該支柱フレームに支軸にて回動可能に取り付けられた回動フレームと、
該回動フレームの垂直部上部に、被介護者が入れる間隔で前方に突出された２本の脇支持部材と、
回動フレームの水平部を付勢可能に取付け、回動フレームの一方向の回動で付勢力が増大し、回動フレームを他方向に回動復帰させる付勢力として水平部に付与するコイルばねと、
回動フレームの水平部に連結され、回動フレームの回動をロックするメカニカルロック装置と、を備え、
回動フレームを回動させ、垂直部を傾斜させコイルばねの付勢力を増大させた位置でメカニカルロック装置で回動フレームの回動をロックし、垂直部の脇支持部材を、座位姿勢の被介護者の両脇の下に位置させて、メカニカルロック装置のロックを解除し、コイルばねの付勢力で回動フレームを回動復帰させ、垂直部を立ち上がらせ、脇支持部材で両脇が支えられた被介護者を立位姿勢とすることを特徴とする。
【０００９】
この構成により回動フレームを回動させ、垂直部を傾斜させコイルばねの付勢力を増大させた位置でメカニカルロック装置で回動フレームの回動をロックし、垂直部の脇支持部材を、座位姿勢の被介護者の両脇の下に位置させて、メカニカルロック装置のロックを解除し、コイルばねの付勢力で回動フレームを回動復帰させ、垂直部を立ち上がらせ、脇支持部材で両脇が支えられた被介護者を立位姿勢とすることができる。
【００１０】
また、本発明にかかる介護支援装置の前記回動フレームの水平部は、基端が垂直部の下端に固着され水平方向に互いに平行して延出する１対のフレームで構成され、この両フレームには長手方向に長孔が対応して設けられ、この両フレーム間には軸部材が長孔に挿通されて長孔に沿って移動自在に架設され、前記フレームには該軸部材との当接面に複数の係止凹部が設けられた係止片が、回動可能に設けられ、該係止片は、ばねに付勢されて前記軸部材に当接され、軸部材は、長孔内において係止片の係止凹部が係合された位置で位置保持され、前記コイルばねは、該軸部材に連結され、その付勢力は軸部材を介し回動フレームに付与されることを特徴とする。
【００１１】
この構成により、軸部材は長孔内において係止片の係止凹部の係合により、その位置が保持されているが、軸部材に係止片を付勢しているばねの付勢力より大きな移動させる外力を加えると、係止片は持ち上げられて軸部材は係止凹部の係合から外れ、長孔に沿って前後方向に移動でき、これにより別の係止凹部に係合させることができ、長孔の範囲内で軸部材の保持位置を前後に調整できる。従って、梃子の原理によって軸部材が回動フレームの支軸に近い位置とすると回動フレームに付与される前記コイルばねの付勢力（回動力）は小さく伝達され、軸部材が回動フレームの支軸より遠い位置とすると回動フレームに付与される前記コイルばねの付勢力（回動力）は大きく伝達されるので、軸部材の位置を長孔内で前後に調整することで、回動フレームに付与するコイルばねの付勢力を調整することができる。これにより被介護者の体重が軽かったり、重かったりと種々が存在しても、それに対応したコイルばねの付勢力を付与することが可能となる。
【００１２】
また、本発明にかかる介護支援装置は、前記一方の支柱フレームと前記水平部の一方のフレームとの間および前記他方の支柱フレームと前記水平部の他方のフレームとの間に、両者で対となる支持部材が、下端を支柱フレームまたは基台に回動可能に立設され、該支持部材の上端間にはハンドルが連結され、該ハンドルで支持部材を前後方向に回動操作可能とし、該支持部材の上部には、垂直方向にガイド長孔が対応して設けられ、前記水平部の対のフレームの長孔間に架設された軸部材は、フレームの長孔を貫通し両端が支持部材のガイド長孔に嵌入されており、前記ハンドルで支持部材を前後方向に回動操作することによって、軸部材をフレームの長孔に沿って前後に移動可能としたことを特徴とする。
【００１３】
この構成により、軸部材は、ハンドルにより支持部材を前後方向に回動操作することによって長孔に沿って前後に移動させることができ、それにより軸部材の長孔内での位置が前後に調整可能となる。
【００１４】
また、本発明にかかる介護支援装置は、前記軸部材には、ロッドが上端を軸部材に回動自在に取付けて垂下され、回動フレームの一方向の回動で付勢力が増大し、回動フレームを他方向に回動復帰させる付勢力を水平部に付与するコイルばねは、該ロッドに挿入され下端がロッド下端に設けられたばね受けに支持されて設けられ、該コイルばねの上方には、コイルばねの上方移動を制止する規制部材が設けられていることを特徴とする。
【００１５】
この構成により、回動フレームを支軸を中心に例えば時計方向に回動させると、垂直部は垂直状態から、および水平部は水平状態から時計方向に回動して傾斜状態になっていくので水平部を構成する対のフレーム間に架設されている軸部材は、それにより位置が上方に移動していく。これにより先端が軸部材に連結されているロッドも上方に引き上げられるので、コイルばねは、ばね受けにより規制部材との間に圧縮され、ばね受けを下方に押し下げるように付勢力は増大し、ロッドにもばね受けを介して下方向への増大した付勢力が付与される。従って、このロッドへの付勢力は、軸部材を介し回動フレームの水平部に、回動した回動フレームを復帰させる（反時計方向に回動させる）付勢力として作用するので、回動した回動フレームに被介護者の重量が負荷されていても、回動復帰できる。
【００１６】
また、本発明にかかる介護支援装置の前記回動フレームの水平部には、回動フレームの回動動作を制御するダンパ装置が連結されていることを特徴とする。
【００１７】
この構成により、回動フレームを回動させて垂直部を傾斜させ、垂直部に設けた脇支持部材で被介護者を支持して立ち上げるとき、回動フレームの復帰回動を緩和して被介護者をゆっくりと立ち上げることができる。
【００１８】
また、本発明にかかる介護支援装置の前記回動フレームの垂直部には、両脇支持部材間の上側に隣接して胸当てクッションが設けられていることを特徴とする。
【００１９】
この構成により、被介護者は、脇支持部材で両脇を支えられている時に、胸当てクッションに胸付近を当接させて体重を預けて立ち上げることができる。
【００２０】
さらに、本発明にかかる介護支援装置の前記回動フレームの垂直部には、脇支持部材の後方近傍に、握持部が設けられていることを特徴とする。
この構成により、被介護者は握持部を手に持って支えとすることができる。
【００２１】
また、本発明にかかる介護支援装置の前記回動フレームの垂直部は、平行リンク機構で構成され、垂直部に設けられた脇支持部材は、垂直部が、傾斜状態から直立方向に、又は直立状態から傾斜方向に移動しても、垂直部に設置した初期設定角度を保持することを特徴とする。
また、本発明にかかる介護支援装置の前記回動フレームの垂直部は、平行リンク機構で構成され、垂直部に設けられた胸当てクッションおよび／又は握持部は、垂直部が、傾斜状態から直立方向に、又は直立状態から傾斜方向に移動しても、垂直部に設置した初期設定角度を保持することを特徴とする。
【００２２】
この構成により、脇支持部材、胸当てクッションおよび握持部は、回動フレームの回動で垂直部が移動しても、常に初期設定した角度を保持するので、被介護者を最適の状態で脇支持部材で支え、胸当てクッションに体重を預け、握持部を握り座位姿勢から立位姿勢に、又は立位姿勢から座位姿勢とすることができる。
【発明の効果】
【００２３】
本発明によれば、外部電源や大掛かりで高価なモータ等の動力装置を用いずに、メカニカルな機構のみで、被介護者がベッドや車椅子から床上に安全に立ち上がる動作と元の座位に戻ること及び立ち上がった後に所定の場所に移動することを、介護者の負担を少なくして実行可能となる。
【図面の簡単な説明】
【００２４】
【図１】本発明の実施の形態に係る介護支援装置を示す全体射視図である。
【図２】本発明の実施の形態に係る介護支援装置を示す正面図である。
【図３】立ち上げ状態時の図２Ａ−Ａ線断面図である。
【図４】立ち上げ状態時の図２Ｂ−Ｂ線断面図である。
【図５】傾動状態時の図２Ａ−Ａ線断面図である。
【図６】傾動状態時の図２Ｂ−Ｂ線断面図である。
【図７】立ち上げ状態時の正面側より見た要部斜視図である。
【図８】立ち上げ状態時の背面側より見た要部斜視図である。
【図９】傾動状態時の背面側より見た要部斜視図である。
【図１０】立ち上げ状態時の図２Ａ−Ａ線断面図で、図３とは支持部材の位置を移動させた状態を示している
【図１１】コイルばね付近の変形例を示す断面図である。
【図１２】傾動時の使用状態を示す斜視図である。
【図１３】立ち上げ時の使用状態を示す斜視図である。
【発明を実施するための形態】
【００２５】
以下、本発明の実施の形態に係る介護支援装置を、図面を参照しながら詳細に説明する。図１は、本発明の実施の形態に係る介護支援装置を示す全体射視図、図２は、本発明の実施の形態に係る介護支援装置を示す正面図、図３は、立ち上げ状態時の図２Ａ−Ａ線断面図、図４は、立ち上げ状態時の図２Ｂ−Ｂ線断面図、図５は、傾動状態時の図２Ａ−Ａ線断面図、図６は、傾動状態時の図２Ｂ−Ｂ線断面図、図７は、立ち上げ状態時の正面側より見た要部斜視図、図８は、立ち上げ状態時の背面側より見た要部斜視図、図９は、傾動状態時の背面側より見た要部斜視図、図１０は、立ち上げ状態時の図２Ａ−Ａ線断面図で、図３とは支持部材の位置を移動させた状態を示している。図１１は、コイルばね付近の変形例を示す断面図、図１２は、傾斜時の使用状態を示す斜視図、図１３は、立ち上げ時の使用状態を示す斜視図である。
【００２６】
本実施の形態による介護支援装置は、図１に示すように基台１と、基台１上に取り付けられた一対の支柱フレーム２ａ、２ｂと、これらの支柱フレーム２ａ、２ｂに回動自在に支持された回動フレーム３と、この回動フレーム３の上端部に取り付けられた脇支持部材５と、胸当てクッション６と、を備える。基台１は、装置全体を支持する機台であり、鋼材や樹脂材で略コ字状に組み付けて（または溶接して）構成され、これらの下面の４箇所にキャスタ７が取り付けられ、装置の移動を容易にしている。このキャスタにはストッパ（図示省略）が設けられ、停止状態の保持を可能としている。
【００２７】
１対の支柱フレーム２ａ、２ｂは、基台１に固設された座板８上に、対向する平行状態で立設されている。回動フレーム３は、図３乃至図１０に示すように垂直部３Ａと水平部３ＢとでＬ字状に形成されており、前記１対の支柱フレーム２ａ、２ｂ間に位置し、角部近傍が支軸９にて支柱フレーム２ａ、２ｂに回動可能に支持されている。
【００２８】
回動フレーム３の垂直部３Ａには、図１に示すように上部に前記脇支持部材５と、胸当てクッション６とが設けられている。脇支持部材５は、二本５、５が、被介護者が入る間隔で前方に突出されており、この二本の脇支持部材５、５間に被介護者が入り、脇支持部材５、５を両側の脇の下に入れて被介護者を支持するものである。
この脇支持部材５、５の後方側には、把持部５ａ、５ｂが後方に突出して設けられている。この把持部５ａ、５ｂは、脇支持部材５、５を両側の脇の下に入れて被介護者を支持して立ち上げたり、着座させる時に、被介護者が手で持って支えとするものである。
胸当てクッション６は、二本の脇支持部材５、５の間に位置して設けられ、脇支持部材５、５を両側の脇の下に入れて被介護者を支持したとき、被介護者が胸付近を当接して体重を預ける時保護するものである。
なお、この脇支持部材５、５の基部間には、ベルト３４が吊り懸けられている（図１参照）。
【００２９】
前記回動フレーム３の垂直部３Ａは、平行リンク機構で構成すると、後述するように回動フレーム３を支軸９を中心に回動して、垂直部３Ａを傾斜状態から直立方向（図１で実線で示す位置から破線で示す位置方向）に、又は直立状態から傾斜方向（図１で破線で示す位置から実線で示す位置方向）に移動させても、図１に示すように垂直部３Ａに設置した脇支持部材５、握持部５ａ、５ｂおよび胸当てクッション６の初期設定角度を変化させることなく保持できるので好ましい。これにより被介護者は、常に最適の状態で脇支持部材５に支えられ、胸当てクッション６に体重を預け、握持部５ａ、５ｂを握ることができる。平行リンク機構は、垂直部３Ａをリンク部材３ａ、３ｂで構成してもよいし、内部に平行リンク機構を内蔵し、これに脇支持部材５、握持部５ａ、５ｂおよび胸当てクッション６を連結させてもよい。本例では、垂直部３Ａをリンク部材３ａ、３ｂで構成した場合を示している。
【００３０】
回動フレーム３の水平部３Ｂは、図７に示すように一対のフレーム４ａ、４ｂで構成されている。この一対のフレーム４ａ、４ｂは、図７乃至図９に示すように基端が垂直部３Ａの下端に固着され、互いに平行して水平方向に延出しており、これにより回動フレーム３をＬ字状としている。
【００３１】
対のフレーム４ａ、４ｂにはこれの長手方向に、全長に亘って緩やかな円弧状をなす長孔１０ａ、１０ｂが、互いに対応して設けられている（図８参照）。この対のフレーム４ａ、４ｂ間には、軸部材１２が長孔１０ａ、１０ｂに挿通され、長孔１０ａ、１０ｂに沿って移動自在に架設されている。
このフレーム４ａ、４ｂの内側には、図８に示すように前記支軸９を中心に回動する係止片１３、１３が、捩りばね１５により付勢されて前記軸部材１２に当接されている。この係止片１３の軸部材１２との当接面には、係止凹部１４が設けられている。本例では３箇所に所定間隔で設けられている。従って、軸部材１２は、長孔１０ａ、１０ｂに沿って移動自在であるが、係止片１３の係止凹部１４が軸部材１２に係合すると、その位置が保持される。本例では係止凹部１４が３箇所設けられているので、軸部材１２は長孔１０ａ、１０ｂの該係止凹部１４に対応する３箇所の位置で位置保持可能となる。しかし、捩りばね１５の付勢力以上の外力を加えることで係止片１３は可動可能となるので、軸部材１２に長孔１０ａ、１０ｂに沿って移動させる捩りばね１５の付勢力以上の外力を加え、係止凹部１４より外出させることで移動することは可能となる。これにより長孔１０ａ、１０ｂに沿って位置の移動調整ができることとなる。
なお、長孔１０ａ、１０ｂの下縁の、前記係止片１３の係止凹部１４に対応する位置に浅い凹部（図示省略）を設けてもよい。本例では係止片１３に３箇所所定間隔で係止凹部１４が設けられているので、長孔１０ａ、１０ｂの下縁にも３箇所に所定間隔で凹部（図示省略）が設けられることとなる。これにより軸部材１２は、係止片１３の係止凹部１４と長孔１０ａ、１０ｂの下縁の凹部とで係止されることとなり、位置保持がより確実になる。しかし、この長孔１０ａ、１０ｂの下縁の凹部は、あった方が好ましいが、必ずしも必要ではない。
【００３２】
前記支柱フレーム２ａと前記水平部３Ｂのフレーム４ａとの間および前記支柱フレーム２ｂと前記水平部３Ｂのフレーム４ｂとの間には、両者で対となる支持部材１６ａ、１６ｂが下端を支柱フレーム２ａおよび２ｂに軸１８で回動可能に支持されて立設されている。
この支持部材１６ａ、１６ｂの上部には、長手方向（縦方向）にガイド長孔１７ａ、１７ｂが設けられている。この両者の支持部材１６ａ、１６ｂはサイズ、形状は同じで、対向して配置されている。前記水平部３Ｂのフレーム４ａ、４ｂの長孔１０ａ、１０ｂを貫通した軸部材１２の両端部は、この支持部材１６ａ、１６ｂのガイド長孔１７ａ、１７ｂに嵌入している。
また、この支持部材１６ａ、１６ｂの上端間には、ハンドル１９が連結されており、このハンドル１９で支持部材１６ａ、１６ｂを前後方向に回動可能となっている。従って、回動フレーム３の水平部３Ｂのフレーム４ａ、４ｂに形成された長孔１０ａ、１０ｂを貫通した軸部材１２の端部は、この支持部材１６ａ、１６ｂのガイド長孔１７ａ、１７ｂに嵌入しているので、ハンドル１９で支持部材１６ａ、１６ｂを前後方向に回動すると、それに伴い軸部材１２も長孔１０ａ、１０ｂに沿って前後に移動する。これによりハンドル１９の操作で軸部材１２の長孔１０ａ、１０ｂ内での保持位置を前後に調整できる。詳しくは、軸部材１２は、長孔１０ａ、１０ｂにおいて係止片１３の係止凹部１４の係合によりその位置が保持されているが、ハンドル１９に、軸部材１２を長孔１０ａ、１０ｂの前後方向に移動させる捩りばね１５の付勢力以上の外力を加え、支持部材１６ａ、１６ｂを前後方向に移動させると、軸部材１２は係止凹部１４の係合から外ずれ長孔１０ａ、１０ｂに沿って前後方向に移動でき、これにより別の係止凹部１４に係合させることができ、長孔１０ａ、１０ｂの範囲内で軸部材１２の保持位置を前後に調整することができる。
【００３３】
前記回動フレーム３の水平部３Ｂ下方で、支持部材１６ａと支持部材１６ｂとの間には、規制部材としての天板２０が架設され、ロッド２１が該天板２０を貫通し上端が前記軸部材１２に連結されて垂下されている。このロッド２１の下端には、ばね受け２３が固設され、このばね受け２３と天板２０との間にコイルばね２２が介在されている。従って、ロッド２１が上動し、それと共にばね受け２３が上動すると、コイルばね２２はばね受け２３により天板２０との間に圧縮され、ばね受け２３を下方に押し下げるように付勢するので、ロッド２１にもばね受け２３を介し下方向への付勢力が付与される。
図示の実施の形態では、コイルばね２２は露出した場合で示しているが、これは図１１に示すようにシリンダ２４内に収容するのが、露出しないので好ましい。即ち、上端を軸部材１２に枢着して垂下したロッド２１を、シリンダ２４に出入自在とし、このシリンダ２４内のロッド２１の下端にばね受け２３を固設し、シリンダ２４内においてばね受け２３とシリンダ２４の天部２４ａ（規制部材）との間にコイルばね２２を設ける構成としてもよい。この時のシリンダ２４の下端部は、前記軸１８に回動自在に支持させると好ましい。
【００３４】
従って、回動フレーム３の垂直部３Ａが略垂直状態で、水平部３Ｂが略水平状態に位置しているときは、ロッド２１は下動しコイルばね２２は伸長しており、ロッド２１にコイルばね２２の付勢力は付与されない状態であるが、回動フレーム３を支軸９を中心に回動（時計方向）させると、垂直部３Ａは垂直状態から、水平部３Ｂは水平状態から、時計方向に回動して傾斜状態になっていくので、水平部３Ｂを構成するフレーム４ａ、４ｂ間に架設されている軸部材１２は、それにより位置が上方に移動していく。これにより先端が軸部材１２に連結されているロッド２１も上方に引き上げられるので、コイルばね２２は、ばね受け２３により天板２０（またはシリンダ２４の天部２４ａ）との間に圧縮され、ばね受け２３を下方に押し下げるように付勢するので、ロッド２１にもばね受け２３を介して下方向への付勢力が付与される。従って、ロッド２１の上端は、水平部３Ｂを構成するフレーム４ａ、４ｂ間に架設されている軸部材１２に連結されているので、ロッド２１への付勢力は、軸部材１２を介し回動フレーム３の水平部３Ｂを下方（反時計方向）に牽引する付勢力であり、傾動していた回動フレーム３を支軸９を中心に反時計方向に復帰回動させる付勢力である。
【００３５】
この時の軸部材１２は、フレーム４ａ、４ｂの長孔１０ａ、１０ｂの範囲内で、その保持位置が前後方向に調整可能であるので、梃子の原理を利用して軸部材１２が支軸９に近い位置とすると回動フレーム３に付与される前記回動力（付勢力）は小さく、軸部材１２を支軸９より遠い位置とすると回動フレーム３に付与される前記回動力（付勢力）は大きくなる。
【００３６】
一方、前記回動フレーム３の水平部３Ｂを構成するフレーム４ａ、４ｂの端部間には、水平軸２５が架設され、また、前記支柱フレーム２ａ、２ｂの下部間には水平支軸２６が架設され、この水平軸２５と水平支軸２６は上下に対応した位置となっている。この上方の水平軸２５と下方の水平支軸２６との間には、例えば、油圧式や空気式のダンパ装置２７およびメカニカルロック装置２８が介在されている。
ダンパ装置２７は、シリンダ２７ａとロッド２７ｂに加わる伸縮速度を緩和するように機能する周知構造を持つ。これにより回動フレーム３を回動させ、垂直部３Ａに設けた脇支持部材５、５で被介護者を支持して立ち上げるとき、回動フレーム３の回動を緩和して被介護者をゆっくりと立ち上げるように作用する。
【００３７】
メカニカルロック装置２８は、例えば、シリンダ２８ａに対し出入自在のロッド２８ｂに、シリンダ２８ａ内において右巻きおよび左巻きのコイルスプリング（図示しない）を、特定の締め付け力で巻き付け、これらのコイルスプリングの一端はロック解除用のレバー２９に、他端はロッド２８ｂを収容するシリンダ２８ａに固定されたベアリングの溝部（図示しない）に固定した周知構造を持つ。このメカニカルロック装置２８は、レバー２９の回動操作によって前記コイルスプリングのロッド２８ｂに対する締め付け力を解除するように機能する。
前記レバー２９には、図４および図９に示すようにワイヤ３０の一端が固着され、このワイヤ３０の他端は、回動フレーム３の垂直部３Ａに設けられた操作レバー３１に止着されている。この操作レバー３１は、垂直部３Ａにピン３３で回動可能に枢着され、先端にはノブ３２が取り付けられている。従って、ノブ３２を手に持って操作レバー３１を回動させることでワイヤ３０を牽引し、メカニカルロック装置２８のレバー２９の操作が可能となっている。
【００３８】
次に、かかる構成になる介護支援装置の動作と使用方法を説明する。まず、介護者は介護支援装置を床上に移動させながら、被介護者が座って待機しているベット付近に停止させる。介護者は被介護者の体重、身長等を目測した上で、ハンドル１９で支持部材１６ａ、１６ｂを前後方向に回動移動させることで、軸部材１２の長孔１０ａ、１０ｂ内での位置を、係止片１３のいずれの係止凹部１４に係合させるかによって調整する。
軸部材１２がフレーム４ａ、４ｂの長孔１０ａ、１０ｂの最も右側（回動フレーム３の支軸９に最も近い位置）に位置するときは、回動フレーム３が時計方向に回動して傾動する際の水平部３Ｂによる軸部材１２の上方への移動量は小さいため、ロッド２１の上方への移動も少なく、ロッド２１の上動により圧縮されるコイルばね２２の圧縮量も少ないので、このコイルばね２２の反発力も小さい。また、軸部材１２と回動フレーム３の支軸９との間隔も短いので、梃子の原理の作用も小さい。従って、この場合には、脇支持部材５、５に負荷される比較的軽量の被介護者の体重を支えながら立ち上がらせたり、着座させる場合に適する。
これに対し、軸部材１２がフレーム４ａ、４ｂの長孔１０ａ、１０ｂの最も左側（回動フレーム３の支軸９から最も遠い位置）に位置するときは、回動フレーム３が時計方向に回動して傾動する際の水平部３Ｂによる軸部材１２の上方への移動量は大きいため、ロッド２１の上方への移動量も大きく、ロッド２１の上動により圧縮されるコイルばね２２の圧縮量も大きいので、このコイルばね２２の反発力も大きい。また、軸部材１２と回動フレーム３の支軸９との間隔も長いので、梃子の原理の作用も大きい。従って、この場合には、脇支持部材５、５に負荷された被介護者の比較的大きな体重を支えながら立ち上がらせたり、着座させる場合に適する。このような点を考慮して被介護者の体重等を目測し軸部材１２の位置を決定する。
【００３９】
続いて、ノブ３２を操作することにより操作レバー３１を回動させる。これによりワイヤ３０が引かれるので、このワイヤ３０端に連結された前記メカニカルロック装置２８のレバー２９が引かれて回動する。このため、ロッド２７ｂに対するコイルスプリングの締付力が解除されロック解除され、回動フレーム３の支軸９を中心とする回動が自由となる。
そこで、介護者は回動フレーム３を回動させ、図５、図６および図９に示すように傾動させることにより脇支持部材５、５を下降させる。このため脇支持部材５は、着座している被介護者の脇近傍の高さ位置となる。この回動フレーム３を傾斜させる回動によりコイルばね２２は圧縮され反発力が生ずるため、回動フレーム３を元の位置方向に回動させようとするので、回動フレーム３を回動させ、脇支持部材５が所定位置となるまで傾動したときには、ノブ３２により操作レバーを操作し、メカニカルロック装置２８のレバー２９を操作してロックをする。これにより回動フレーム３の傾動位置は保持される。
この回動フレーム３を傾斜させる回動では、コイルばね２２を圧縮させつつの回動なので、回動フレーム３の傾動操作では、ある程度の外力（操作力）が必要となる。従って、この回動フレーム３を傾斜させる回動では、ベルト３４（図１参照）に足を掛けて押し下げることによって、回動フレーム３を傾斜させる回動操作を容易としている。
【００４０】
なお、前記回動フレーム３を傾斜させる回動では、傾動により傾きが大きい場合には、回動フレーム３の水平部３Ｂの傾動による傾きも大きくなるため、軸部材１２に先端が連結されているロッド２１も上方への移動量が大きくなり、コイルばね２２は大きく圧縮される。一方、移動による傾きが小さい場合には、回動フレーム３の水平部３Ｂの傾動による傾きも小さいため、ロッド２１の上方への移動量も小さく、コイルばね２２の圧縮量も小さい。また、コイルばね２２の付勢力は、回動フレーム３の水平部３Ｂに設けられた軸部材１２を介し、回動フレーム３に伝達される。従って、軸部材１２の位置が、回動フレーム３の水平部３Ｂ（フレーム４ａ、４ｂの長孔１０ａ、１０ｂ内）において回動フレーム３の支軸９に近い位置か、遠い位置かによって、梃子の原理でコイルばね２２から回動フレーム３に作用する付勢力（回動復帰力）は異なってくる。このようにコイルばね２２の回動フレーム３に作用する付勢力（圧縮された反発力）は、回動フレーム３の傾動量（傾きの大きさ）と水平部３Ｂの長孔１０ａ、１０ｂにおける軸部材１２の位置によって決定づけられる。
【００４１】
次に、回動フレーム３を傾斜させる回動をして脇支持部材５を低位置（着座している被介護者の脇近傍となる高さ位置）にセットしたら、図１２に示すように例えば、ベットに座位姿勢でいる被介護者の脇下に、脇支持部材５を挿入するように介護支援装置を近づける。そこで、被介護者は、握持部５ａ、５ｂを手にとって握り、両脇を脇支持部材５、５に掛け、胸を胸当てクッション６上に当接させる。そこで、ノブ３２を手に持って操作レバー３１を操作すると、この操作はワイヤ３０を介してメカニカルロック装置２８のレバー２９に伝達され、メカニカルロック装置２８のロックが解除される。従って、回動フレーム３の支軸９を中心とする回動が自由となるので、圧縮されたコイルばね２２の反発力（付勢力）で軸部材１２を介し回動フレーム３の水平部３Ｂが下方に引き下げられることにより、傾斜していた回動フレーム３は、元の位置に回動復帰する。即ち、図１の実線で示す傾斜位置から破線で示す直立位置に復帰する。これにより、回動フレーム３の垂直部３Ａ上部の脇支持部材５、５および胸当てクッション６に体重を預けている被介護者は、図１２に示すような座位姿勢から図１３に示すように上方に持ち上げられて立位姿勢になる。
【００４２】
このように被介護者を図１２に示すような、例えば、ベットや車椅子の座位の姿勢から図１３に示すような立位の姿勢にする支援をすることができる。被介護者は、この立位姿勢で介護支援装置を支えとして、自己で又は介護者に補助されて、所定の場所に移動することができる。
【００４３】
次に、図１３に示すような立位姿勢から図１２に示すような座位姿勢とする場合について説明する。
まず、回動フレーム３の垂直部３Ａが直立状態となって、被介護者は、回動フレーム３の垂直部３Ａ上部の脇支持部材５、５に両脇が支えられ、胸当てクッション６に体重を預けた図１３に示す立位姿勢となっている。
そこで、ノブ３２で操作レバー３１を操作し、メカニカルロック装置２８のレバー２９を介しロックを解除し、被介護者は自身の全体重を脇支持部材５、５および胸当てクッション６に掛けながら、あるいは介護者がベルト３４に足を掛けて下方に押し下げ（踏み込み）る。それにより回動フレーム３は支軸９を中心に回動し、垂直部３Ａも傾斜し、脇支持部材５、５および胸当てクッション６も下方に移動してくるので、脇支持部材５、５および胸当てクッション６に体重を預けている被介護者は、図１３に示すような立位姿勢から徐々に座位姿勢となるので、被介護者は、その後側におかれているベットや車椅子に着座することができる。この時の回動フレーム３が所定位置（着座できる位置）まで傾動したときは、操作レバー３１の操作でメカニカルロック装置２８のレバー２９を作動させ、メカニカルロック装置２８をロックする。これにより回動フレーム３の回動がロックされるので、安全、確実に着座することができる。
なお、このベットや車椅子への着座は、例えば、図１３に示すように立位姿勢の被介護者の後側に、例えば、車椅子を位置させ、被介護者は両脇を掛けている脇支持部材５、５から外すことで、自分から車椅子に着座してもよい。
【００４４】
さらに、この実施形態の介護支援装置においては、回動フレーム３の水平部３Ｂの先端に架設された水平軸２５と、支柱フレーム２ａ、２ｂの下部間に架設された水平支軸２６との間に、ダンパ装置２７が設けられている。従って、前記のような回動フレーム３の傾斜する回動および傾斜から復帰する回動は、前記ダンパ装置２７による作動抵抗制御によって被介護者にとって安全で緩慢な動きとなる。例えば、被介護者を座位姿勢から立位姿勢にするために回動フレーム３を図１および図１２に示すように傾斜回動させた状態では、コイルばね２２が圧縮された状態なので、コイルばね２２の付勢力が回動フレーム３を直立方向に復帰させるように作用している。ここで、被介護者を図１２に示す座位姿勢から図１３に示す立位姿勢にしようとメカニカルロック装置２８のロックを解除すると、この時のコイルばね２２の圧縮による反発力（付勢力）が被介護者の体重より大きいと、回動フレーム３の復帰する回動（被介護者を脇支持部材５、５および胸当てクッション６で支えて立ち上がらせる動作）が、急激となり危険である。そこで、被介護者の体重に関係なくダンパ装置２７でこの動きを常に制御し、緩やかな動きとし、止まるときも徐々に止まるようにし、安全を確保するものである。
【００４５】
なお、前記実施の形態は、本発明を制限するものではなく、本発明は、要旨を逸脱しない範囲において種々の変形が許容される。
【符号の説明】
【００４６】
１  基台
２ａ、２ｂ  支柱フレーム
３  回動フレーム
３Ａ  回動フレームの垂直部
３Ｂ  回動フレームの水平部
４ａ、４ｂ  水平部を構成するフレーム
５  脇支持部材
５ａ、５ｂ  握持部
６  胸当てクッション
９  支軸
１０ａ、１０ｂ  長孔
１２  軸部材
１３  係止片
１４  係止凹部
１５  捩りばね
１６ａ、１６ｂ  支持部材
１７ａ、１７ｂ  ガイド長孔
１９  ハンドル
２０  規制部材としての天板
２１  ロッド
２２  コイルばね
２３  ばね受け
２４  シリンダ
２４ａ  規制部材としての天部
２５  水平軸
２６  水平支軸
２７  ダンパ装置
２８  メカニカルロック装置
２９  レバー
３０  ワイヤ
３１  操作レバー
３２  ノブ
【図１】
2011104237.tif 000003
【図２】
2011104237.tif 000004
【図３】
2011104237.tif 000005
【図４】
2011104237.tif 000006
【図５】
2011104237.tif 000007
【図６】
2011104237.tif 000008
【図７】
2011104237.tif 000009
【図８】
2011104237.tif 000010
【図９】
2011104237.tif 000011
【図１０】
2011104237.tif 000012
【図１１】
2011104237.tif 000013
【図１２】
2011104237.tif 000014
【図１３】
2011104237.tif 000015